(57)【要約】      （修正有）【課題】マスク装着時に呼吸や会話をスムーズに行えるように口前空間を確保するマスク補助具を提供する。【解決手段】マスク補助具Ａは、口幅と対応する長さを備え、任意に湾曲可能とした空間保持部１と、空間保持部１と連続して上方へ立ち上げた支持腕部２と、支持腕部２の先端を折り返してマスク係止部３０を形成する折り返し端部３を備え、マスクの背面に折り返し端部３をマスク上縁より突出させてあてがい、突出した折り返し端部３をマスク表面側に折り返してマスク係止部３０としてマスクに取り付け、空間保持部１を表面方向に湾曲突出させて湾曲空間保持部１０とし、マスク装着時の口前空間を湾曲空間保持部１０によって確保する。【選択図】図１
0003229283.tif 000002
【実用新案登録請求の範囲】
【請求項１】
口幅と対応する長さを備えると共に、前方へ張出す形状に形成した湾曲空間保持部と、前記湾曲空間保持部と連続して上方へ立ち上げた支持腕部と、支持腕部の先端にマスク係止部を設けて、全体がＵ状部材であることを特徴とするマスク補助具。
【請求項２】
Ｕ状部材が薄金属板で形成すると共に、マスク係止部が支持腕の端部からの折り返し形状である請求項１記載のマスク補助具。
【請求項３】
口幅と対応する長さを備え、任意に湾曲可能とした空間保持部と、前記空間保持部と連続して上方へ立ち上げた支持腕部と、支持腕部の先端を折り返してマスク係止部を形成する折り返し端部を備え、全体が１枚の薄金属板のＵ状部材であることを特徴とするマスク補助具。
【請求項４】
マスク係止部又は折り返し端部が、内方に突出する形状である請求項２又は３記載のマスク補助具。
【請求項５】
薄金属板がチタン製である請求項２乃至４記載の何れかのマスク補助具。
【請求項６】
Ｕ状部材が樹脂製である請求項１記載のマスク補助具。
【考案の詳細な説明】
【技術分野】
【０００１】
本考案は、市販のマスクに装着するマスク補助具に関するものである。
【背景技術】
【０００２】
一般的なマスクは、布製や不織布製で鼻と口を覆い、口を塞ぐように装着される。このため呼吸や会話が必ずしもスムーズになされない。特に口前を前方に膨出させる構造を備えているマスクも知られているが、製造の煩瑣、並びにコスト高のため一般的ではなく、市販のマスクには、装着時に口前を膨出保持する構造は備えていない。
【０００３】
そこで市販のマスクにおいて呼吸や会話をスムーズに行えるようなマスクに装着する補助具が従前より提案されている。
【０００４】
例えば特許文献１には、鼻部の一部を覆うようにマスクの顔面との接触面側に略鼻筋形状の補助具を取りつけて、マスク装着時に鼻下空間が生ずるようにしている。特許文献２には、鼻及び口の周囲を覆う環状で、不通気性で且つ可撓性を有する補助スペーサを使用し、補助スペーサによって口前空間を確保する手段が開示されている。特許文献３には、口及び鼻全体を覆う本体の外縁上部に、装着時に鼻に当接する鼻当接部と、鼻当接部の左右にマスク装着部を備え、本体に開口部を設けた補助具が開示されている。
【先行技術文献】
【特許文献】
【０００５】
【特許文献１】登録実用新案３１８８７８２号公報。
【特許文献２】特開２０１５−１９９２０号公報。
【特許文献３】特開２０１２−１１０５７７号公報。
【考案の概要】
【考案が解決しようとする課題】
【０００６】
マスク装着時に口前空間を確保する手段として上記した市販マスクに取り付ける補助具が提案されているが、鼻部分に取り付ける補助具はマスクへの装着安定性並びにマスク装着時の口前空間確保が確実とは言えない。また口鼻全体の外周に配置する補助スペーサや、口鼻全体を覆う補助具は、マスク装着時に口回り全周に補助具が接触する不快性（違和感）や、保持具自体が嵩張る点、製造コストの点等の課題を有する。
【０００７】
そこで本考案は、構造が簡易で、且つ簡単に着脱でき、更にマスク装着時の違和感が無く、しかも十分な口前空間が確保できるマスク補助具を提案したものである。
【課題を解決するための手段】
【０００８】
本考案の請求項１記載に係るマスク補助具は、口幅と対応する長さを備えると共に、前方へ張出す形状に形成した湾曲空間保持部と、前記湾曲空間保持部と連続して上方へ立ち上げた支持腕部と、支持腕部の先端にマスク係止部を設けて、全体がＵ状部材であることを特徴とするものである。
【０００９】
而して前記マスク補助具は、市販の一般的なマスクに取り付けて使用するもので、マスク係止部をマスクの上縁左右に係止してマスクを装着すると、湾曲空間保持部でマスクの被覆面を前方に押し出した状態を保持するので、マスク装着時の口前空間を確保できるものである。
【００１０】
また本考案の請求項３記載のマスク補助具は、口幅と対応する長さを備え、任意に湾曲可能とした空間保持部と、前記空間保持部と連続して上方へ立ち上げた支持腕部と、支持腕部の先端を折り返してマスク係止部を形成する折り返し端部を備え、全体が１枚の薄金属板のＵ状部材であることを特徴とするものである。
【００１１】
而して前記のマスク補助具は、１枚の薄金属板で、使用者がマスクの背面に、折り返し端部をマスク上縁より突出させてあてがい、前記の突出した折り返し端部をマスク表面側に折り返してマスク係止部としてマスクに取り付け、空間保持部を表面方向に湾曲して突出させ湾曲空間保持部とし、マスク装着時の口前空間を湾曲空間保持部によって確保するものである。特に１枚の平板状の金属板で構成されるので、保管搬送の利便性を有すると共に、使用者が自らの好みに合わせて口前空間の膨出程度を任意に設定できるものである。
【考案の効果】
【００１２】
本考案の構成は上記の通りで、市販されている一般的なマスクに簡単に取り付けることができ、且つ取り付け後のマスク装着においても違和感なく十分な口前空間が確保できるものである。
【図面の簡単な説明】
【００１３】
【図１】本考案の第一の実施形態（第一実施例）で、（イ）はマスク取り付け前（ロ）はマスク取り付け後の状態を示す。
【図２】同マスク取り付け過程を示すマスクの背面図で、（イ）はマスク取り付け前（ロ）はマスク取り付け後の状態を示す。
【図３】同使用状態（マスク装着状態）を示す。
【図４】同第二実施例で、（イ）はマスク取り付け前（ロ）はマスク取り付け後の状態を示す。
【図５】同使用状態（マスク装着状態）を示す。
【図６】本考案の第二実施形態（第三実施例）の全体図。
【考案を実施するための形態】
【００１４】
次に本考案の実施形態について説明する。図１乃至３は本考案の第一の実施形態（第一実施例）を示すもので、１枚の平板Ｕ状の金属板で形成されている。
【００１５】
金属材質は任意であるが、適宜な幅及び厚みを備え（後術する口前空間確保を保持するに十分な強度を備える）、且つ人力で容易に折り曲げ可能で、人体に害することなく衛生的なものを採用したもので、例えば０．３〜０．４ｍｍ厚のチタン板が適する。
【００１６】
前記Ｕ状金属板（マスク補助具）Ａは、口幅と対応する長さ（口幅よりやや広く）を有する空間保持部１と、前記空間保持部と連続して上方へ立ち上げた支持腕部２と、支持腕部２の先端に適宜長さの折り返し端部３を備えたものである。
【００１７】
前記のマスク補助具Ａは、図２イに示すように、使用者がマスクＢの背面に折り返し端部３をマスク上縁ｂより突出させてあてがい、次に図２ロに示すように、突出した折り返し端部３をマスクＢの表面側に折り返して、マスク係止部３１としてマスクＢに取り付ける。更に空間保持部１を表面方向に湾曲して突出させて湾曲空間保持部１０として使用状態とするものである。
【００１８】
而して上記の通りマスク補助具Ａを所定形状に曲げてマスクＢに取り付け、通常のマスクと同様に顔面に装着するもので、マスク装着状態においては、湾曲空間保持部１０が鼻下位置で前方に膨出した状態となり、マスクＢの背面を口から離し、口前空間を確保することで、マスク装着時でも呼吸や会話をスムーズに行えるようにしたものである。
【００１９】
また図４，５は、第二実施例を示したもので、この第二実施例のマスク補助具Ａａは、第一実施例において、折り返し端部３ａを内方に突出する形状としたものである。
【００２０】
従って折り返し端部３ａをマスクＢの上縁ｂで折り返して形成したマスク係止部３１は、マスクＢの表面で内方（顔中心方向）に突出し、一般的にマスク上縁ｂの中心に内蔵されている針金（図示せず）と相俟って、マスク上縁ｂの顔面からの浮き上がりを抑え、マスク上縁ｂを顔面に密着させる機能を有することになる。
【００２１】
また本考案は前記した実施形態（第一実施例、第二実施例）のように、Ｕ状金属板（マスク補助具）Ａを所定形状に変形し、使用者がマスクに取り付けて使用するものに限定されるものではなく、図６に示した第二実施形態のとおり所定の形状に形成した成形品（マスク補助具）Ｃを採用しても良い。
【００２２】
即ちマスク補助具（成形品）Ｃは、樹脂製若しくは薄金属板製（第一実施形態の金属板のように変形自在の材質．厚みに限定されない）で、口幅と対応する長さを備えると共に、前方へ張出す形状に形成した湾曲空間保持部１１と、前記湾曲空間保持部１１と連続して上方へ立ち上げた支持腕部２と、支持腕部の先端に折り返し形状に形成して適宜な弾性を有するマスク係止部３２を設けたものである。
【００２３】
而して上記マスク補助具（成形品）Ｃは、市販のマスクＢの背面に配置すると共に、マスク係止部３２でマスク上縁ｂを挟持することでマスクＢに取り付けて使用するもので、マスク装着時は、前述した第一実施形態のマスク補助具Ａ，Ａａと同様に、湾曲空間保持部１０が鼻下位置で前方に膨出した状態となり、マスクＢの背面を口から離し、口前空間を確保することで、マスク装着時でも呼吸や会話をスムーズに行えるようにしたものである。
【符号の説明】
【００２４】
Ａ，Ａａ    マスク補助具（Ｕ状金属板）
Ｂ    マスク
ｂ    マスク上縁
Ｃ    マスク補助具（成形品）
１    空間保持部
１０，１１  湾曲空間保持部
２    支持腕部
３，３ａ    折り返し端部
３０，３１，３２  マスク係止部
【図１】
0003229283.tif 000003
【図２】
0003229283.tif 000004
【図３】
0003229283.tif 000005
【図４】
0003229283.tif 000006
【図５】
0003229283.tif 000007
【図６】
0003229283.tif 000008